(57)【要約】（ａ）広帯域無線ネットワークのアクセスルータが広帯域無線ネットワーク内に存在する１つの端末からメッセージを受信するステップと、（ｂ）アクセスルータが、受信されたメッセージが近隣者発見メッセージであるか否かを検出するステップと、（ｃ）アクセスルータが検出された近隣者発見メッセージを広帯域無線ネットワーク中の第２の端末へ中継するステップとを含むことを特徴とするポイントツーポイント特性の広帯域無線ネットワークにおいてＩＰｖ６近隣者発見をサポートする方法が開示される。本発明により、ポイントツーポイント特性の広帯域無線ネットワークにおけるＩＰｖ６ネットワーク構成が、共通したネットワークプレフィックスで構成される場合でも、ＩＰｖ６近隣者発見をサポートすることができる。
2009512323.tif 000002
【特許請求の範囲】
【請求項１】
端末および基地局の間にポイントツーポイントリンクを有する広帯域無線ネットワークにおいてＩＰｖ６近隣者発見を支援する方法であって、
前記広帯域無線ネットワークのアクセスルータが、前記広帯域無線ネットワーク内にある第１の端末からメッセージを受信するステップと、
前記アクセスルータが、前記受信されたメッセージから近隣者発見メッセージを検出するステップと、
前記アクセスルータが、前記検出された近隣者発見メッセージを前記広帯域無線ネットワーク内の第２の端末へ中継するステップと
を備えることを特徴とする方法。
【請求項２】
近隣者発見メッセージを検出する前記ステップにおいて、
前記受信されたメッセージのレイヤ２アドレス（またはＩＰｖ６アドレス）が所定のアドレスに対応するかをどうか判断した後で、前記近隣者発見メッセージを検出することを特徴とする請求項１に記載の方法。
【請求項３】
近隣者発見メッセージを中継する前記ステップは、前記広帯域無線ネットワークのマルチキャスト送信をエミュレートすることによって実行されることを特徴とする請求項１に記載の方法。
【請求項４】
前記アクセスルータがメッセージを受信する前に、前記基地局が、共通の接続識別子および所定のレイヤ２アドレスをマッピングするテーブルを生成するステップと、
前記基地局が、前記広帯域無線ネットワークにあるすべての端末に前記共通の接続識別子を割当てるステップとをさらに備え、
近隣者発見メッセージを中継する前記ステップは、
前記アクセスルータが、前記検出された近隣者発見メッセージを前記アクセスルータのＩＰｖ６レイヤに引き渡し、前記検出された近隣者発見メッセージを前記広帯域無線ネットワークへ転送するステップと、
前記アクセスルータからの前記近隣者発見メッセージ受信した前記基地局が、前記生成されたマッピングテーブルを参照することによって、前記共通の接続識別子を通して前記近隣者発見メッセージを前記第２の端末へ送信するステップとを含むことを特徴とする請求項３に記載の方法。
【請求項５】
前記近隣者発見メッセージを中継する前記ステップにおいて、
前記近隣者発見メッセージは、反復的なユニキャストを使用して前記第２の端末へ送信され、前記検出された近隣者発見メッセージが中継されることを特徴とする請求項１に記載の方法。
【請求項６】
前記アクセスルータがメッセージを受信する前に、前記広帯域無線ネットワーク中にある各端末が、請求ノードマルチキャストアドレスを生成するステップと、
前記各端末が、前記生成された請求ノードマルチキャストアドレスおよび自身のリンク−ローカルアドレスついての情報を前記アクセスルータへ送信するステップと、
前記アクセスルータが、前記送信された情報に基づいて、前記請求ノードマルチキャストアドレスおよび前記リンク−ローカルアドレスをマッピングするテーブルを生成するステップとをさらに備え、
前記近隣者発見メッセージを中継する前記ステップは、
前記アクセスルータが、前記検出された近隣者発見メッセージをＩＰｖ６レイヤに引き渡し、前記検出された近隣者発見メッセージを前記広帯域無線ネットワークへ転送するステップと、
前記アクセスルータが、前記生成されたテーブルに基づいて、前記コピーされた近隣者発見メッセージのＩＰ目的地アドレスを変更した後に、反復するユニキャストを使用して、前記広帯域無線ネットワーク中の前記第２の端末へ前記近隣者発見メッセージを送信するステップとを含むことを特徴とする請求項５に記載の方法。
【請求項７】
前記ＩＰ目的地アドレスを変更することにおいて、
前記近隣者発見メッセージのＩＰ目的地アドレスがリンク−ローカルオールノードマルチキャストアドレスのときは、前記生成されたテーブルに基づいて、前記目的地アドレスは前記各端末のリンク−ローカルアドレスに変更され、反復するユニキャストを使用して、前記変更された目的地アドレスとともに前記ＩＰｖ６近隣者発見メッセージがすべての端末へ送信されることを特徴とする請求項６に記載の方法。
【請求項８】
前記近隣者発見メッセージのＩＰ目的地アドレスが請求ノードマルチキャストアドレスのとき、前記ＩＰ目的地アドレス変更することは、
前記生成されたテーブルに基づいて、対応する端末のリンクローカルアドレスを求めるステップと、
前記近隣者発見メッセージのＩＰ目的地アドレスを前記求められたリンクローカルアドレスに変更して、反復するユニキャストを使用して、前記変更されたＩＰ目的地アドレスとともに前記近隣者発見メッセージを前記第２の端末へ送信するステップとを含むことを特徴とする請求項６に記載の方法。
【請求項９】
ポイントツーポイント特性を有する広帯域無線ネットワークにおいて、端末および基地局の間でＩＰｖ６近隣者発見を支援する方法であって、
前記広帯域無線ネットワーク中にある基地局が、前記広帯域無線ネットワーク中にある第１の端末からメッセージを受信するステップと、
前記基地局が、前記受信されたメッセージから近隣者発見メッセージを検出するステップと、
前記基地局が、前記広帯域無線ネットワーク内にある第２の端末へ前記検出された近隣者発見メッセージを中継するステップと
を備えることを特徴とする方法。
【請求項１０】
近隣者発見メッセージを検出する前記ステップは、
前記受信されたメッセージのレイヤ２アドレス（またはＩＰｖ６アドレス）が所定のアドレスに対応するかどうかを判断した後に、近隣者発見メッセージが検出されることを特徴とする請求項９に記載の方法。
【請求項１１】
近隣者発見メッセージを中継する前記ステップは、
前記広帯域無線ネットワークにおけるマルチキャスト接続を使用して、実行されることを特徴とする請求項９に記載の方法。
【請求項１２】
前記基地局は、前記検出された近隣者発見メッセージをアクセスルータに送信し、および前記検出された近隣者発見メッセージを転送し、
前記基地局がコピーされた近隣者発見メッセージを前記広帯域無線ネットワークへ送信する前に、前記基地局は、前記広帯域無線ネットワークのすべての端末に共通の接続識別子を割当て、前記共通の接続識別子および所定のアドレスをマッピングするテーブルを生成し、ならびに前記アクセスルータから受信した前記近隣者発見メッセージを、前記生成されたテーブルを参照することによって、前記共通の接続識別子を通して前記第２の端末へ送信することを特徴とする請求項１１に記載の方法。
【請求項１３】
近隣者発見メッセージを中継する前記ステップは、
反復的なユニキャストを使用して前記第２の端末へ前記近隣者発見メッセージを伝達するステップであって、前記検出された近隣者発見メッセージが中継されることを含むこと特徴とする請求項９に記載の方法。
【請求項１４】
前記広帯域無線ネットワーク中にある前記第２の端末は、請求ノードマルチキャストアドレスを生成し、前記生成された請求ノードマルチキャストアドレスおよび自身のリンク−ローカルアドレスについての情報を前記基地局へ送信し、
前記基地局は、前記送信された情報に基づいて、前記請求ノードマルチキャストアドレスおよび前記リンク−ローカルアドレスをマッピングするテーブルを生成し、前記生成されたテーブルを参照することによって、前記検出された近隣者発見メッセージのＩＰ目的地アドレスを対応するリンク−ローカルアドレスへ変更し、ならびに前記近隣者発見メッセージを前記アクセスルータへ送信している間に、反復するユニキャストを使用して、前記広帯域無線ネットワーク中にある前記第２の端末へ前記変更されたＩＰ目的地アドレスとともに前記近隣者発見メッセージを転送することを特徴とする請求項１３に記載の方法。
【請求項１５】
請求項１乃至１４のうちいずれか１つに記載の方法を行うプログラムが記録されたたコンピュータ読み取り可能な記録媒体。
【発明の詳細な説明】
【技術分野】
【０００１】
本発明は、ＩＰｖ６（Ｉｎｔｅｒｎｅｔ Ｐｒｏｔｏｃｏｌ ｖｅｒｓｉｏｎ ６）近隣者発見をサポートする方法に関する。より詳細には、ポイントツーポイント指向の広帯域無線ネットワークにおいてＩＰｖ６ネットワーク構成が共通したネットワークプレフィックス情報によって構成される時にも、ＩＰｖ６近隣者発見メッセージの伝送およびメッセージに対するマルチキャスト伝送をサポートする方法ならびにシステムに関する。
【背景技術】
【０００２】
上述のような従来の問題を解決しようとする技術は、特許文献１に記載されている。ここでは、ＩＰルータ（すなわち、ＧＧＳＮ（Ｇａｔｅｗａｙ ＧＰＲＳ Ｓｕｐｐｏｒｔ Ｎｏｄｅ））と、通信ネットワークにおけるサービングノード（すなわち、ＳＧＳＮ（Ｓｅｒｖｉｃｅ ＧＰＲＳ Ｓｕｐｐｏｒｔ Ｎｏｄｅ））との間にマルチキャストデータ伝送のためのトンネルを構築し、ポイントツーポイントサービスを提供する通信ネットワークにおいてマルチキャストサービスを提供することを目的としている。この発明は、ポイントツーポイント指向のネットワークにおいてマルチキャストツリーを生成する方法を提供するのに効果的である。
【０００３】
また、他の従来の技術として特許文献２には、セルラー電話システムがマルチキャストおよびポイントツーポイントサービスを何れも提供可能にするセルラー電話システムにおいて、マルチキャストサービスを通知する方法およびシステムが開示されている。アクセスネットワークとマルチキャストグループに属する加入者局との間のシグナリング対話を通じて、アクセスネットワークが、アクセスネットワークと加入者局との間にマルチキャストサービスを伝達するチャンネルを割当てる。
【０００４】
さらに他の従来の技術である非特許文献１は、基地局の下でサービスされている端末がそれぞれ固有のネットワークプレフィックス情報を有することによって、ＩＰｖ６動作によって発生する問題点を解決している。しかし、本発明では、基地局の下の全ての端末が共通のネットワークプレフィックス情報を有していることを仮定している。
【０００５】
【特許文献１】米国特許出願第２００４−０２３３９０７号  明細書：Multicast in Point-to-Point oriented Packet-switched Telecommunication Network
【特許文献２】韓国公開特許公報第２００５−０００９７７４号  明細書：“通信システムでマルチキャストサービスの初期化する方法およびシステム”
【非特許文献１】ＩＥＴＰ標準文書：“Recommendations for IPv6 in Third Generation Partnership Project（３ＧＰＰ） Standards（RFC 3314）”
【発明の開示】
【発明が解決しようとする課題】
【０００６】
本発明が解決しようとする技術的課題は、ポイントツーポイント指向の広帯域無線ネットワークにおいて、ＩＰｖ６ネットワーク構成が共通したネットワークプレフィックス情報で構成される時にも、ＩＰｖ６近隣者発見メッセージの送信およびこのメッセージに対するマルチキャスト送信を支援できる方法ならびにシステムを提供することにある。
【課題を解決するための手段】
【０００７】
上述の課題を達成するために、本発明によるポイントツーポイント特性の広帯域無線ネットワークにおけるＩＰｖ６近隣者発見を支援する方法は、（ａ）広帯域無線ネットワークのアクセスルータが、広帯域無線ネットワーク内に存在する１つの端末からメッセージを受信するステップと、（ｂ）アクセスルータが、受信されたメッセージが近隣者発見メッセージであるか否かを検出するステップと、（ｃ）アクセスルータが、検出された近隣者発見メッセージを広帯域無線ネットワーク中に存在する第２の端末へ中継するステップとを含むことを特徴とする。
【０００８】
上述の課題を達成するために、本発明によるポイントツーポイント指向の広帯域無線ネットワークにおけるＩＰｖ６近隣者発見を支援する方法は、（ａ）広帯域無線ネットワークに存在する基地局が広帯域無線ネットワーク内に存在する１つの端末からメッセージを受信するステップと、（ｂ）基地局が、受信されたメッセージが近隣者発見メッセージであるか否かを検出するステップと、（ｃ）基地局が検出された近隣者発見メッセージを広帯域無線ネットワークに存在する第２の端末へ中継するステップとを含むことを特徴とする。
【０００９】
本発明によれば、ＷｉＭａｘ、ＷｉＢｒｏ、ＩＥＥＥ ８０２.１６（ｅ）のようなポイントツーポイント指向の広帯域無線ネットワークにおけるＩＰｖ６ネットワーク構成が共通したネットワークプレフィックス情報で構成されるとき、ＩＰｖ６近隣者発見メッセージを問題なく使用することができる。第１に、本発明は、既存のＩＰｖ６近隣者を発見する方法の修正を必要としない。第２に、本発明は、現在のＩＰデータに対するマルチキャストサービスを提供しない広帯域無線ネットワークにおいて、マルチキャストサービスのためのメカニズムを提供する。第３に、本発明は、ＩＰｖ６近隣者を発見するだけでなく、他のリンク−ローカル領域のマルチキャストアドレスを目的アドレスとするデータの伝送を広帯域無線ネットワークにおいて可能にする。
【発明を実施するための最良の形態】
【００１０】
以下、添付された図面を参照しながら、本発明による方法および装置について詳細に説明する。
【００１１】
本発明は、従来のポイントツーポイント（Ｐｏｉｎｔ−ｔｏ−Ｐｏｉｎｔ）特性の広帯域無線ネットワークにおけるＩＰｖ６近隣者発見メッセージのマルチキャスト伝送とをサポートする構造ならびに手順に関する。ここでポイントツーポイント指向の広帯域無線ネットワークにおけるホスト群は、１つのまたは複数の共通したネットワークプレフィックス情報を共有している。
【００１２】
ポイントツーポイント特性の広帯域無線ネットワークにおいて、基地局（ＢＳ）および端末（ＳＳ）は、ポイントツーポイントリンクによって接続される。このようなポイントツーポイントリンクは、１つのＳＳから直接に他のＳＳ群へ伝えられるＩＰｖ６近隣者発見メッセージを制限してしまう。言い換えれば、アクセスルータ（Ａｃｃｅｓｓ Ｒｏｕｔｅｒ：ＡＲ）が各ＳＳに対する唯一の近隣するＩＰノードとなる。一方で、ＩＰｖ６は、割り当てられたプレフィックスに対して最も長いプレフィックス整合を実行して、隣接するＩＰノードを決定する。したがって、ＡＲ下に存在するＳＳ群が同一のネットワークプレフィックス情報を共有すれば、ＢＳ下に存在する全てのＳＳが、互いに隣接するホストと成る。このような近隣するホストの異なる定義によって、ＩＰｖ６近隣者発見プロトコルの近隣ホストを対象として伝えられるメッセージの伝送に問題を生じる。
【００１３】
本発明では、ＩＰｖ６近隣者発見メッセージはＡＲ（またはＢＳ）によって中継され再び近隣するＳＳ群へ送信される。ＩＰｖ６近隣者発見メッセージのマルチキャスト伝送は、全てのＳＳ群に共通の接続を設定するかまたは反復的なユニキャストをによって、エミュレートされる。
【００１４】
まず、本発明によるＩＰｖ６近隣者発見メッセージを中継する方法の一実施形態は、マルチキャスト中継部（Ｍｕｌｔｉｃａｓｔ Ｒｅｌａｙ Ｐａｒｔ：ＭＲＰ）を定義し、ＩＰｖ６近隣者発見メッセージを受信して、ＩＰｖ６近隣者発見メッセージを転送する。
【００１５】
ＭＲＰが下部レイヤから伝えられるデータは、リンク−ローカル領域のマルチキャストアドレスを目的アドレスとして有するＩＰｖ６近隣者発見メッセージである。したがって、ＩＰｖ６近隣者発見メッセージを選択する方法が必要となる。本発明において、ＩＰｖ６オーバイーサネット（登録商標）およびＩＰｖ６のケースに対するこの選択する方法は、以下の通りである。第１に、広帯域無線接続においてＩＰｖ６オーバイーサネット（登録商標）がサポートされる場合には、イーサネット（登録商標）目的アドレスが“３３−３３”で始まるデータが選択され中継される。第２に、広帯域無線接続でＩＰｖ６のみがサポートされる場合には、ＩＰｖ６目的アドレスが“ＦＦ０２”で始まるデータが選択され中継される。但し、ＩＰｖ６目的アドレスとして“ＦＦ０２：：２”あるいはイーサネット（登録商標）目的アドレスとして“３３−３３−００−００−００−０３”を有するデータは、ＳＳ群ではなくルータへ向かうデータであるので、除外される。
【００１６】
また、本発明によるポイントツーポイント指向の広帯域無線ネットワークにおけるリンク−ローカル領域のマルチキャストＩＰデータを送信する方法の一実施形態は、マルチキャストエミュレーション部（Ｍｕｌｔｉｃａｓｔ Ｅｍｕｌａｔｉｏｎ Ｐａｒｔ：ＭＥＰ）を定義して、無線ネットワーク上でマルチキャストデータを伝送する。本発明において、無線上でマルチキャストデータを伝送する方法の例として、ＭＥＰがマルチキャストデータのための別途の接続識別子（Ｃｏｎｎｅｃｔｉｏｎ ＩＤ：ＣＩＤ）を割当てるマルチキャストエミュレーション部−共通接続識別子（ＭＥＰ−Ｃｏｍｍｏｎ ＣＩＤ：ＭＥＰ−ＣＣＩＤ）方法と、反復的なユニキャストを利用するマルチキャストエミュレーション部−マルチユニキャスト（ＭＥＰ−Ｍｕｌｔｉ Ｕｎｉｃａｓｔ：ＭＥＰ−ＭＵ）方法とを提案する。
【００１７】
ＭＥＰ−ＣＣＩＤにおいては、リンク−ローカル領域のマルチキャストデータ伝送のための特別のＣＩＤが割り当てられる。このようなＣＩＤは、同じＢＳからサービスされる全てのＳＳ群に共通的に生成されるＣＩＤであって、本明細書では、共通のＣＩＤ（ＣＣＩＤ）と称す。ＣＣＩＤを経由して伝送されるデータは、全てのＳＳ群によって受信される。ＣＣＩＤ生成のために、ＢＳおよびＳＳ群上には、ＭＥＰ−ＣＣＩＤ機能が搭載される。ＣＣＩＤ生成方法の例としては、ＩＥＥＥ ８０２.１６ｅ標準で使われるＭＢＳ−ＣＩＤの生成手順と同じ方法が使用される。
【００１８】
一方、ＡＲ（またはＢＳ）上のＭＲＰによって中継されたＩＰｖ６近隣者発見メッセージおよびＣＣＩＤとのマッピングをするとき、広帯域無線ネットワークにおいてＩＰｖ６オーバーイーサネット（登録商標）がサポートされる場合には、イーサネット（登録商標）目的アドレスが“３３−３３”で始まるデータが、または広帯域無線ネットワークにおいてＩＰｖ６のみがサポートされる場合には、ＩＰｖ６目的アドレスが“ＦＦ０２”で始まるデータが、ＣＣＩＤとマッピングされる。このようなマッピング情報は、ＣＣＩＤを生成している間に生成され得る。
【００１９】
ＭＥＰ−ＭＵを使用して、ユニキャストを繰り返すことを使用して、ＩＰｖ６近隣者発見メッセージがッセージが対応するＳＳへ送信される。これは、ＩＰｖ６近隣者発見メッセージを受信すべきＳＳ群についての情報を交換を通じて実現され得る。ＭＥＰ−ＭＵを利用したＩＰｖ６近隣者発見メッセージを送信する手順は、以下のプロセスを含む。１）ＳＳ上のＭＥＰ−ＭＵは、自身のインターフェース識別子（ＩＥＥＥ ＥＵＩ−６４Ａｄｄｒｅｓｓ）の最後の２４ビットを利用して、自らの請求ノードマルチキャストアドレスを生成する。２）ＳＳ上のＭＥＰ−ＭＵは、生成された請求ノードマルチキャストアドレスおよび自らのリンク−ローカルアドレスの情報を、ＡＲ上のＭＥＰ−ＭＵに送信する。ここで、ＳＳのこのリンク−ローカルアドレスは、まだ重複アドレス検出（Ｄｕｐｌｉｃａｔｅ Ａｄｄｒｅｓｓ Ｄｅｔｅｃｔｉｏｎ：ＤＡＤ）によってユニークであると検証されていないアドレスである。３）ＡＲ上のＭＥＰ−ＭＵは、受信した情報に基づいてＳＳの請求ノードマルチキャストアドレスおよび対応するリンク−ローカルアドレスをマッピングするテーブルを管理する。ＳＳのリンク−ローカルアドレスのユニーク性は、既存のＤＡＤ手順を実行することなく、作成されたマッピングテーブル検索を通じて証明される。もし、ＳＳのリンク−ローカルアドレスがユニークでないアドレスである場合、次のプロセスは実行されない。４）ＡＲ上のＭＲＰは、中継されるべきＩＰｖ６近隣者発見メッセージを決定する。その後、前述のマッピングテーブルに基づいてＩＰｖ６近隣者発見メッセージのＩＰ目的地アドレスがリンク−ローカルオールノードマルチキャストアドレスであれば、ＩＰ目的地アドレスを各ＳＳ群のリンク−ローカルアドレスに変更した後に反復的なユニキャスト伝送することによって、すべてのＳＳ群へＩＰｖ６近隣者発見メッセージを送信する。そして、ＩＰｖ６近隣者発見メッセージのＩＰ目的地アドレスが請求ノードマルチキャストアドレスならば、請求ノードマルチキャストアドレスのリンク−ローカルアドレスがマッピングテーブルを使用して探索される。その後、ＩＰ目的地アドレスを探索されたＳＳのリンク−ローカルアドレスに変更して、反復的なユニキャスト伝送することによって、対応する全てのＳＳ群へＩＰｖ６近隣者発見メッセージを送信する。
【００２０】
したがって、ポイントツーポイント指向の広帯域無線接続ネットワークにおけるホストが、１つまたは複数のネットワークプレフィックス情報を共有して構成されるとき、既存のＩＰｖ６近隣者発見メッセージ伝送を実行することができる。
【００２１】
図１は、本発明が適用される広帯域無線ネットワークの構造を示す図であって、ＡＲが色々なＢＳを同じネットワークサブネットで構成したネットワークを示す。図１を参照すれば、ＡＲの中のＭＲＰは、ＳＳからＩＰｖ６近隣者発見メッセージを受信し、各ＢＳを通じてさらに他のＳＳ群へ中継する。
【００２２】
図２は、本発明が適用される広帯域無線ネットワークの構造を示す図であって、ＡＲが各ＢＳを別のネットワークサブネットで構成したネットワークを示す。図２を参照すれば、ＡＲまたはＢＳ中のＭＲＰは、ＳＳからＩＰｖ６近隣者発見メッセージを受信し、同一のＢＳの基で他のＳＳ群へ中継する。
【００２３】
図３は、本発明の一実施形態によるポイントツーポイント指向の広帯域無線接続ネットワークにおけるＩＰｖ６近隣者発見をサポートする方法ならびにシステムを説明する図面である。特に、ＭＥＰ−ＣＣＩＤを使用する一実施形態を表す。端末はＳＳ１およびＳＳの２つであり、ＡＲがＭＰＲを含んでいる場合について説明する。
【００２４】
図３を参照すれば、（１）ＳＳ１およびＳＳ２のＭＥＰ−ＣＣＩＤは、ＢＳにＣＣＩＤ割当を受けるためにＣＣＩＤを要求するメッセージ（ＣＣＩＤ＿Ｒｅｑメッセージ）を送る。（２）ＣＣＩＤ＿Ｒｅｑメッセージを受信した後、ＢＳのＭＥＰ−ＣＣＩＤは、ＣＣＩＤマッピングテーブルを構成する。ＣＣＩＤマッピングテーブルは、広帯域無線ネットワークにおいてＩＰｖ６オーバーイーサネット（登録商標）がサポートされる場合には、イーサネット（登録商標）目的アドレスが“３３−３３”で始まるデータの情報をＣＣＩＤとマッピングする情報を持つ。広帯域無線ネットワークにおいてＩＰｖ６のみがサポートされる場合には、ＩＰｖ６目的アドレスが“ＦＦ０２”で始まるデータの情報をＣＣＩＤとマッピングする情報を持つ。（３）ＣＣＩＤマッピングテーブルを構成した後、ＢＳのＭＥＰ−ＣＣＩＤは、ＳＳ１およびＳＳ２へ応答メッセージ（ＣＣＩＤ＿Ｒｅｐメッセージ）を送って、ＣＣＩＤを割り当てる。ＣＣＩＤ割当は、ＳＳの要求なしにＢＳでまずＳＳに割当てることもある。（４）ＳＳ１がＩＰｖ６近隣者発見メッセージを送信するとき、このＩＰｖ６近隣者発見メッセージは、ＢＳを通じてＡＲに送信される。（５）ＡＲの下部レイヤに到達しているＳＳ１から送信されたＩＰｖ６近隣者発見メッセージは、ＡＲのＩＰｖ６レイヤに送信される前にＡＲのＭＲＰに与えられる。（６）ＡＲのＭＲＰは、下部レイヤから到来するデータのうちから、中継されるデータを選択する。下部レイヤから到来するデータのうち、中継される必要のあるデータは、リンク−ローカル領域のマルチキャストアドレスを目的アドレスとして有するＩＰｖ６近隣者発見メッセージである。前述のデータを選択するときは、次のように２つ場合がある。第１に、広帯域無線ネットワークにおいてＩＰｖ６オーバーイーサネット（登録商標）がサポートされる場合には、イーサネット（登録商標）目的アドレスが“３３−３３”で始まるデータが選択され、中継される。第２に、広帯域無線ネットワークにおいてＩＰｖ６のみがサポートされる場合には、ＩＰｖ６目的アドレスが“ＦＦ０２”で始まるデータが選択され、中継される。但し、ＩＰｖ６目的アドレスとして“ＦＦ０２：：２”またはイーサネット（登録商標）目的アドレスとして“３３−３３−００−００−００−０３”を有するデータは、ルータに向かうデータであるので、除外される。（７）ＡＲのＭＲＰは、データをＩＰｖ６レイヤに引き渡すと同時に、中継されるデータがコピーされて、ネットワークへ送信される。（８）ＣＣＩＤマッピングテーブルを参照して、ＩＰｖ６近隣者発見メッセージをＣＣＩＤを通じて送信する。（９）このような過程を通じて、ＣＣＩＤが割当てられた全てのＳＳ群は、ＩＰｖ６近隣者発見メッセージを受信する。
【００２５】
図４は、本発明の一実施形態によるポイントツーポイント指向の広帯域無線ネットワークにおけるＩＰｖ６近隣者発見をサポートする方法およびシステムを説明する図面である。、特に、ＭＥＰ−ＭＵを使用する一実施形態を表す。同様に、端末がＳＳ１およびＳＳ２との２つであって、ＡＲはＭＰＲを含んでいる場合について説明する。
【００２６】
図４を参照すれば、（１）ＳＳ１およびＳＳ２のＭＥＰ−ＭＵは、自身のインターフェース識別子（ＩＥＥＥ ＥＵＩ−６４ Ａｄｄｒｅｓｓ）の最後の２４ビットを利用して、自らの請求ノードマルチキャストアドレスを生成する。（２）ＳＳ１およびＳＳ２のＭＥＰ−ＭＵは、生成された請求ノードマルチキャストアドレスおよび自身のリンク−ローカルアドレスの情報を、通知メッセージを通じて、ＡＲ上のＭＥＰ−ＭＵへ送信する。ここで、ＳＳのリンク−ローカルアドレスは、まだ重複アドレス検出（ＤＡＤ法）によってユニークであると検証されていないアドレスである。（３）ＡＲ上のＭＥＰ−ＭＵは、受信した情報に基づいて、端末の請求ノードマルチキャストアドレスおよび対応するリンク−ローカルアドレスをマッピングするテーブルを管理する。端末のリンク−ローカルアドレスのユニーク性は、既存のＤＡＤ手順を実行することなく、作成されたマッピングテーブルを使用して検証することができる。もし、端末のリンク−ローカルアドレスがユニークでないアドレスである場合、以後の動作は実行されない。（４）ＳＳ１がＩＰｖ６近隣者発見メッセージを送信するとき、このＩＰｖ６近隣者発見メッセージは、ＢＳを通してＡＲへ送信される。（５）ＳＳ１から送信されＡＲの下部レイヤに到着しているＩＰｖ６近隣者発見メッセージは、ＡＲのＩＰｖ６レイヤに送信される前にＡＲのＭＲＰに送信される。（６）ＡＲのＭＲＰは、下部レイヤから到来するデータのうちで、中継されるべきデータを選択する。下部レイヤから到来するデータのうち、中継のされる必要のあるデータは、リンク−ローカル領域のマルチキャストアドレスを目的アドレスとして有するＩＰｖ６近隣者発見メッセージである。これらデータを選択するとき、次のような２つの場合がある。第１に、広帯域無線ネットワークにおいてＩＰｖ６オーバーイーサネット（登録商標）がサポートされる場合には、イーサネット（登録商標）目的アドレスが“３３−３３”で始まるデータが選択され、中継される。第２に、広帯域無線ネットワークにおいてＩＰｖ６のみがサポートされる場合には、ＩＰｖ６目的アドレスが“ＦＦ０２”で始まるデータが選択され、中継される。但し、ＩＰｖ６目的アドレスとして“ＦＦ０２：：２”またはイーサネット（登録商標）目的アドレスとして“３３−３３−００−００−００−０３”を有するデータは、ルータに向かうデータであるので、除外される。（７）ＡＲのＭＲＰは、データをＡＲのＩＰｖ６レイヤへ配信すると同時に、中継されるデータはコピーされて、ＡＲのＭＥＰ−ＭＵに転送される。中継されたＩＰｖ６近隣者発見メッセージは、ＭＵマッピングテーブルに基づいて、ＩＰｖ６近隣者発見メッセージのＩＰ目的地アドレスがリンク−ローカルオールノードマルチキャストアドレスであれば、ＩＰ目的地アドレスを各端末のリンク−ローカルアドレスに変更される。ＩＰｖ６近隣者発見メッセージのＩＰ目的地アドレスが請求ノードマルチキャストアドレスであれば、対応する請求ノードマルチキャストアドレスのリンク−ローカルアドレスをＭＵマッピングテーブルを使用して探索され、ＩＰ目的地アドレスを探索されたリンク−ローカルアドレスへ変更する。（８）変更さ���たＩＰ目的地アドレスを持つＩＰｖ６近隣者発見メッセージは、反復するユニキャストをによって、ＳＳ１およびＳＳ２へ送信される。
【００２７】
図３および図４は、ＭＲＰがＡＲの中にある場合について説明したが、ＭＲＰがＢＳに存在する場合のマルチキャスト伝送についても、図２、図３および図４を参照すれば、同様に適用されるということは、当業者には自明なことである。したがって、説明は省略する。
【００２８】
本発明はまた、コンピュータで読み取り可能な記録媒体にコンピュータ可読コードとして具現することができる。コンピュータで読み取り可能な記録媒体は、コンピュータシステムによって読み取られるデータが保存される全ての種類の記録装置を含む。コンピュータで読み取り可能な記録媒体の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＣＤ−ＲＯＭ、磁気テープ、フロッピー（登録商標）ディスク、光データ保存装置があり、また搬送波（例えば、インターネットを通じた伝送）の形態で具現されるものも含む。また、コンピュータで読み取り可能な記録媒体は、ネットワークに接続されたコンピュータシステムに分散され、分散方式でコンピュータ可読コードが保存され、および実行される。そして、本発明を具体化する機能的なプログラム、コードおよびコードセグメントは、本発明が属する技術分野のプログラマーによって容易に推論される。
【００２９】
上述のような本願発明の方法ならびに装置は、理解を助けるために、図面に示された実施形態を参照しながら説明された。しかしこれは例示的なものに過ぎず、当業者であれば、これから多様な変形および均等な他の実施形態が可能であるということを理解できるだろう。したがって、本発明の技術的な保護範囲は、特許請求の範囲によって決定されねばならない
【図面の簡単な説明】
【００３０】
【図１】本発明が適用される広帯域無線ネットワークの構造であって、ルータが色々な基地局を同じネットワークサブネットで構成したネットワークを示す図である。
【図２】本発明が適用される広帯域無線ネットワークの構造であって、ルータが各基地局を別のネットワークサブネットで構成したネットワークを示す図である。
【図３】本発明の一実施形態によるＭＥＰ−ＣＣＩＤを使用した、ポイントツーポイント指向の広帯域無線ネットワークにおけるＩＰｖ６近隣者発見をサポートする方法およびシステムを説明する図である。
【図４】本発明の一実施形態によるＭＥＰ−ＭＵを使用した、ポイントツーポイント特性の広帯域無線ネットワークにおけるＩＰｖ６近隣者発見を差オートする方法およびシステムを説明する図である。
【図１】
2009512323.tif 000003
【図２】
2009512323.tif 000004
【図３】
2009512323.tif 000005
【図４】
2009512323.tif 000006
【国際調査報告】
2009512323.tif 000007
2009512323.tif 000008